(57)【要約】【課題】記録用紙の種類に応じて、像保持体に対する転写ロールの接触圧をユーザーが容易に変更できる転写装置を得る。【解決手段】転写ロール７２の軸部７２Ａに軸受部材を介して回転可能に設けられ、像保持体側にカム面１００Ａを接触させることで、像保持体と転写ロール７２との接触圧を調整可能なカム部材１００と、カム部材１００におけるカム面１００Ａと軸方向に隣接した非カム面１０２Ａに回転方向に沿って複数形成され、径方向内側へ凹む凹部１０２Ｂと、転写ロール７２側に凹部１０２Ｂの凹み方向に向かって付勢された状態で設けられ、凹部１０２Ｂの開口両縁部１０２Ｃに接触するとともに、カム部材１００の回転時には、非カム面１０２Ａに押されることで付勢力に抗して移動可能に構成された凸部１０８Ａを有する接触部材１０８と、を備えた転写装置７０とする。【選択図】図４
2017044812.tif 000002
【特許請求の範囲】
【請求項１】
転写ロールの軸部に軸受部材を介して回転可能に設けられ、像保持体側にカム面を接触させることで、像保持体と前記転写ロールとの接触圧を調整可能なカム部材と、
前記カム部材における前記カム面と軸方向に隣接した非カム面に回転方向に沿って複数形成され、径方向内側へ凹む凹部と、
転写ロール側に前記凹部の凹み方向に向かって付勢された状態で設けられ、前記凹部の開口両縁部に接触するとともに、前記カム部材の回転時には、前記非カム面に押されることで付勢力に抗して移動可能に構成された凸部を有する接触部材と、
を備えた転写装置。
【請求項２】
前記凸部における前記開口両縁部との接触部分が、凸曲面とされている請求項１に記載の転写装置。
【請求項３】
画像が転写される無端状の転写ベルトと、
前記転写ベルトが巻回されたバックアップロールと、
前記バックアップロールと前記転写ベルトを介して対向し、前記転写ベルトとの間に記録用紙を挟んで該記録用紙に前記画像を転写する転写ロールを有する請求項１又は請求項２に記載の転写装置と、
を備えた画像形成装置。
【発明の詳細な説明】
【技術分野】
【０００１】
本発明は、転写装置及び画像形成装置に関する。
【背景技術】
【０００２】
二次転写時の接触圧（ニップ圧）の誤差による記録用紙のスキューの発生を抑えるために、互いに独立して駆動可能なフロントカムモーター及びリアカムモーターの駆動により、中間転写ベルトの表面と二次転写ローラーの回転軸との距離を調整可能にした転写装置は、従来から知られている（例えば、特許文献１参照）。
【０００３】
また、中間転写ベルトに対する二次転写ローラーの接触圧を調整するカム部材を回転させる際に、カム部材に形成された溝からストッパーを退避させ、カム部材を回転させた後、そのストッパーを溝に嵌めてカム部材の回転が不能となるように構成された転写装置も、従来から知られている（例えば、特許文献２参照）。
【先行技術文献】
【特許文献】
【０００４】
【特許文献１】特開２００９−１９８５９８号公報
【特許文献２】特許第４８３５９８０号公報
【発明の概要】
【発明が解決しようとする課題】
【０００５】
本発明は、カム部材の非カム面に形成された凹部の開口両縁部に、付勢された状態で接触している接触部材の凸部が、カム部材の回転時に、非カム面に押されることで付勢力に抗して移動可能に構成されていない構成に比べて、記録用紙の種類に応じて、像保持体に対する転写ロールの接触圧をユーザーが容易に変更できる転写装置を得ることを目的とする。
【課題を解決するための手段】
【０００６】
上記の目的を達成するために、本発明に係る請求項１に記載の転写装置は、転写ロールの軸部に軸受部材を介して回転可能に設けられ、像保持体側にカム面を接触させることで、像保持体と前記転写ロールとの接触圧を調整可能なカム部材と、前記カム部材における前記カム面と軸方向に隣接した非カム面に回転方向に沿って複数形成され、径方向内側へ凹む凹部と、転写ロール側に前記凹部の凹み方向に向かって付勢された状態で設けられ、前記凹部の開口両縁部に接触するとともに、前記カム部材の回転時には、前記非カム面に押されることで付勢力に抗して移動可能に構成された凸部を有する接触部材と、を備えている。
【０００７】
また、請求項２に記載の転写装置は、請求項１に記載の転写装置であって、前記凸部における前記開口両縁部との接触部分が、凸曲面とされている。
【０００８】
また、本発明に係る請求項３に記載の画像形成装置は、画像が転写される無端状の転写ベルトと、前記転写ベルトが巻回されたバックアップロールと、前記バックアップロールと前記転写ベルトを介して対向し、前記転写ベルトとの間に記録用紙を挟んで該記録用紙に前記画像を転写する転写ロールを有する請求項１又は請求項２に記載の転写装置と、を備えている。
【発明の効果】
【０００９】
請求項１に記載の発明によれば、カム部材の非カム面に形成された凹部の開口両縁部に、付勢された状態で接触している接触部材の凸部が、カム部材の回転時に、非カム面に押されることで付勢力に抗して移動可能に構成されていない構成に比べて、記録用紙の種類に応じて、像保持体に対する転写ロールの接触圧をユーザーが容易に変更できる。
【００１０】
請求項２に記載の発明によれば、凸部における開口両縁部との接触部分が、凸曲面とされていない構成に比べて、カム部材の回転時に、接触部材の凸部による回転抵抗が軽減される。
【００１１】
請求項３に記載の発明によれば、請求項１又は請求項２に記載の転写装置を備えていない場合に比べて、記録用紙の種類によらず、画像欠陥の発生を抑制することができる。
【図面の簡単な説明】
【００１２】
【図１】本実施形態に係る画像形成装置の概略構成を示す正面図である。
【図２】本実施形態に係る二次転写装置を示す斜視図である。
【図３】本実施形態に係る二次転写装置の前側を示す斜視図である。
【図４】本実施形態に係る二次転写装置の前側の概略構成を示す正面図である。
【図５】本実施形態に係る二次転写装置の調整カム及びロック部材を示す斜視図である。
【図６】本実施形態に係る二次転写装置の調整カム及びロック部材を示す正面図である。
【発明を実施するための形態】
【００１３】
以下、本発明に係る実施の形態について、図面を基に詳細に説明する。なお、説明の便宜上、図１における矢印ＵＰを本実施形態に係る画像形成装置１０の上方向とし、図１における紙面手前側を画像形成装置１０及び本実施形態に係る転写装置の一例としての二次転写装置７０の前側とする。したがって、図２における矢印ＦＲが二次転写装置７０の前方向となる。
【００１４】
まず、本実施形態に係る画像形成装置１０について簡単に説明する。画像形成装置１０は、イエロー（Ｙ）、マゼンタ（Ｍ）、シアン（Ｃ）、ブラック（Ｋ）の４色の色成分画像を記録用紙Ｐ上に重ね合わせて画像を形成するフルカラー画像形成装置であり、画像読取装置やコンピューター等の図示しない画像出力装置から画像データが供給される制御部１２を有している。
【００１５】
そして、この画像形成装置１０は、各色の画像形成ユニット１４と、各色の画像形成ユニット１４によって形成された画像がそれぞれ一次転写される一次転写装置３０と、一次転写装置３０に一次転写された画像を記録用紙Ｐに二次転写する二次転写装置７０と、一次転写装置３０と二次転写装置７０との間に記録用紙Ｐを供給する給紙装置５０と、記録用紙Ｐに二次転写された画像を定着させる定着装置６０と、を有している。
【００１６】
制御部１２は、供給された画像データに基づいて、各画像形成ユニット１４Ｙ、１４Ｍ、１４Ｃ、１４Ｋへ画像形成の制御指令を発信するようになっている。また、制御部１２は、この画像形成動作を含めて、画像形成装置１０全体の動作を制御するようになっている。なお、以下においては、符号の後に各色を表すＹ、Ｍ、Ｃ、Ｋを省略して説明する場合がある。
【００１７】
各画像形成ユニット１４Ｙ、１４Ｍ、１４Ｃ、１４Ｋは、一次転写装置３０に沿って一定間隔を空けて横並びに配列されている。各画像形成ユニット１４Ｙ、１４Ｍ、１４Ｃ、１４Ｋは、同一の構成であり、制御部１２から供給される画像データに応じてレーザー光を走査するレーザー光走査装置１６と、レーザー光走査装置１６の下方に配置され、レーザー光走査装置１６で走査されたレーザー光により静電潜像が形成される画像形成部１８と、を有している。
【００１８】
レーザー光走査装置１６は、各色の画像データに応じて変調したレーザー光を偏向走査して、画像形成部１８に設けられた感光体ドラム２０の表面に照射するようになっている。感光体ドラム２０は、図示の矢印Ａ方向に回転する構成になっており、感光体ドラム２０の周囲には、その回転方向上流側から順に、感光体ドラム２０の表面を一様に帯電する帯電器２２と、感光体ドラム２０の表面に形成された静電潜像を現像する現像器２４と、感光体ドラム２０の表面を清掃するドラムクリーナー２６と、が配設されている。
【００１９】
一次転写装置３０は、像保持体の一例としての無端状の転写ベルト３２を有している。転写ベルト３２は、駆動ロール３４、従動ロール３５、３６、ステアリングロール３８及びバックアップロール４０に、一定のテンションがかかった状態で巻回されており、駆動ロール３４によって一定速度で矢印Ｂ方向に循環回転するようになっている。
【００２０】
また、転写ベルト３２の内周面側には、各感光体ドラム２０との間に転写ベルト３２を挟み、各感光体ドラム２０と連れ回りする一次転写ロール４２が、回転自在に配設されている。そして、転写ベルト３２を挟んで従動ロール３６と対向する位置には、転写ベルト３２の表面を清掃するベルトクリーナー２８が配設されている。
【００２１】
給紙装置５０は、複数枚の記録用紙Ｐが積載される給紙トレー５２と、給紙トレー５２から記録用紙Ｐを１枚ずつ引き出す送出ロール５４と、二次転写装置７０との二次転写位置へ向けて間隔を空けて配設された複数の搬送ロール対５６と、記録用紙Ｐの搬送方向先端を揃え、かつ決められたタイミングで二次転写位置へ送り込むレジストロール対５８と、を備えている。そして、給紙トレー５２から二次転写位置まで、用紙搬送路４４が形成されている。
【００２２】
二次転写装置７０は、バックアップロール４０との間に転写ベルト３２を挟み、バックアップロール４０に内周面側から支持された転写ベルト３２との間に接触圧を発生させながら連れ回りする二次転写ロール７２を備えている。なお、記録用紙Ｐは、転写ベルト３２と二次転写ロール７２との間に挟まれて搬送されるようになっており、その転写ベルト３２と二次転写ロール７２との間が二次転写位置となっている。また、二次転写装置７０の構成については、後で詳述する。
【００２３】
転写ベルト３２と二次転写ロール７２との間に挟まれて搬送された記録用紙Ｐは、搬送ベルト４８を備えた搬送部材４６によって定着装置６０へ送られるようになっている。定着装置６０は、上側の加熱ロール６２と下側の定着ロール６４とを備えており、記録用紙Ｐは、加熱ロール６２と定着ロール６４との間に挟まれて搬送されるようになっている。
【００２４】
以上のような構成とされた画像形成装置１０において、次にその画像形成プロセスについて簡単に説明する。
【００２５】
制御部１２から各画像形成ユニット１４Ｙ、１４Ｍ、１４Ｃ、１４Ｋへ画像形成の制御指令が発信されると、矢印Ａ方向に回転する各感光体ドラム２０の表面が各帯電器２２により帯電され、次いで各感光体ドラム２０の表面に各レーザー光走査装置１６からレーザー光が照射される。これにより、各感光体ドラム２０の表面に各色の画像データに応じた静電潜像が形成される。
【００２６】
各感光体ドラム２０の表面に形成された静電潜像は、それぞれ現像器２４からトナーが供給されて現像され、各感光体ドラム２０の表面にトナー像が形成される。そして、各感光体ドラム２０の表面に形成されたトナー像が、矢印Ｂ方向に循環回転している一次転写装置３０の転写ベルト３２上に順次一次（多重）転写される。なお、現像器２４による現像後、各感光体ドラム２０の表面に残っている残留トナーは、ドラムクリーナー２６によって除去される。
【００２７】
一方、給紙装置５０の給紙トレー５２から送出ロール５４及び搬送ロール対５６によって用紙搬送路４４を搬送されてきた記録用紙Ｐが、レジストロール対５８により、転写ベルト３２上に一次転写されたトナー像とタイミングを合わせて、転写ベルト３２と二次転写ロール７２との間の二次転写位置へ供給され、転写バイアスが印加される。これにより、転写ベルト３２上のトナー像が、記録用紙Ｐの表面に二次転写される。
【００２８】
表面にトナー像が二次転写された記録用紙Ｐは、搬送部材４６（搬送ベルト４８）によって定着装置６０に送られる。そして、定着装置６０に送られた記録用紙Ｐは、加熱ロール６２と定着ロール６４との間に挟まれて搬送されつつ、加熱ロール６２によって加熱されることにより、その表面にトナー像が定着される。トナー像が定着された記録用紙Ｐは、図示しない排出部へ排出される。
【００２９】
次に、本実施形態に係る二次転写装置７０の構成について詳細に説明する。
【００３０】
図２〜図４に示されるように、転写ロールの一例としての二次転写ロール７２は、画像形成装置１０の装置本体内に、前側から後側に向けて挿入することによりセットされ、かつ前側に向けて引き抜くことにより取り外せる筐体７４内に備えられている。なお、二次転写ロール７２の軸７２Ａの一端部には、ギア（図示省略）が結合されており、そのギアが駆動モーター（図示省略）によって回転駆動されることにより、二次転写ロール７２が回転するように構成されている。
【００３１】
筐体７４は、前後方向に長いフレーム７６を有しており、このフレーム７６の両端部に配置されている側板７８には、揺動軸８２を介して揺動板８０が矢印Ｃ及び矢印Ｄ方向に揺動自在に支持されている。揺動板８０には、二次転写ロール７２を含む内部ユニット８４が固定されており、内部ユニット８４の両端部に配置されている側板８６に、二次転写ロール７２の軸７２Ａが通されて回転自在に支持されている。
【００３２】
フレーム７６の両端部には、それぞれブラケット板８８が固定されており、各ブラケット板８８には、画像形成装置１０の装置本体内への挿入方向（後側）に向かって突出する一対のガイドピン８８Ａが固定されている。各ブラケット板８８のガイドピン８８Ａが装置本体内に設けられた位置決め孔（図示省略）に嵌ることにより、二次転写装置７０が決められた位置に収まり、その状態で二次転写ロール７２の周面がバックアップロール４０の周面に対向するようになっている。
【００３３】
また、図４に示されるように、フレーム７６の両側に配置されている揺動板８０は、略逆Ｌ字状に形成されており、揺動軸８２に支持された略矩形状の基部８０Ａと、基部８０Ａから用紙搬送方向上流側に延びる第１アーム部８０Ｂと、基部８０Ａから第１アーム部８０Ｂに対して約９０度の角度をなすように下方に延びる第２アーム部８０Ｃと、を有している。
【００３４】
揺動板８０の第２アーム部８０Ｃの先端部には、引張コイルバネ９０の一端部が係止されている。この引張コイルバネ９０は、その一端部から用紙搬送方向下流側に延び、その他端部がフレーム７６に形成された係止部７６Ａに係止されている。したがって、互いに一体とされた揺動板８０及び内部ユニット８４（二次転写ロール７２）は、引張コイルバネ９０によって揺動軸８２を回転中心にして常に矢印Ｄ方向へ付勢されている。
【００３５】
一方、揺動板８０の第１アーム部８０Ｂの先端部における下面は、フレーム７６にカム駆動軸９４を介して回転自在に装着された押圧カム９２のカム面（周面）９２Ａに接触している。押圧カム９２は各揺動板８０に対して１つずつ設けられており、各押圧カム９２は、それぞれカム駆動軸９４の両端部に固定されている。
【００３６】
また、カム駆動軸９４には、カムギア（図示省略）が結合されており、そのカムギアがカムモーター（図示省略）によって回転駆動されることにより、押圧カム９２が回転するように構成されている。押圧カム９２が回転すると、そのカム面９２Ａが揺動板８０の第１アーム部８０Ｂの先端部を上下方向に移動させ、これによって揺動板８０及び内部ユニット８４（二次転写ロール７２）が矢印Ｃ方向及び矢印Ｄ方向（図４参照）に揺動するようになっている。
【００３７】
詳細には、引張コイルバネ９０の付勢力に抗して揺動板８０が矢印Ｃ方向に揺動して、第１アーム部８０Ｂの先端部が最も上方へ押し上げられたときに、二次転写ロール７２がバックアップロール４０から最も離れた退避位置に移動するようになっている。そして、引張コイルバネ９０の付勢力により揺動板８０が矢印Ｄ方向に揺動して、第１アーム部８０Ｂの先端部が最も下方へ下がったときに、二次転写ロール７２がバックアップロール４０側に押圧されて転写ベルト３２に予め決められた圧力で接触する接触位置に移動するようになっている。
【００３８】
また、内部ユニット８４の側板８６から突出した二次転写ロール７２の軸７２Ａの両端部には、それぞれバックアップロール４０に支持された転写ベルト３２に対する二次転写ロール７２の接触圧を調整するためのカム部材の一例としての調整カム１００が、軸受部材の一例としてのボールベアリング９８を介して回転可能に設けられている。
【００３９】
各調整カム１００は、それぞれ独立して回転可能に構成されており、二次転写ロール７２の軸心に対して僅かに偏心する真円状のカム面（周面）１００Ａを有している。そして、そのカム面１００Ａは、二次転写ロール７２が接触位置にあるとき、バックアップロール４０の軸の両端部に固定された（転写ベルト３２側に設けられた）円板状のカム受部材（図示省略）の周面に、それぞれ接触するようになっている。
【００４０】
したがって、調整カム１００を回転させると、カム面１００Ａがカム受部材の周面に沿って移動することにより、二次転写ロール７２の軸７２Ａが、バックアップロール４０に近づく方向に移動したり、離れる方向に移動したりするようになっている。なお、調整カム１００の回転による二次転写ロール７２の移動ストロークは、二次転写ロール７２が転写ベルト３２から離れない範囲の僅かな距離である。つまり、二次転写ロール７２は、常に転写ベルト３２を押圧しており、その押圧力（接触圧）が調整カム１００の回転によって微調整されるようになっている。
【００４１】
また、図５に示されるように、調整カム１００のカム面１００Ａには、調整の度合いを示す複数のマーク１００Ｂが周方向に間隔を空けて形成されている。そして、図３に示されるように、内部ユニット８４の側板８６の外面には、円筒状のカラー部材９６が、二次転写ロール７２の軸７２Ａと同軸的に、かつ調整カム１００に隣接して固定されており、そのカラー部材９６には、基準マーク９６Ａが形成されている。
【００４２】
したがって、調整カム１００は、各マーク１００Ｂを基準マーク９６Ａに合わせることで回転角度が調整され、これによって転写ベルト３２に対する二次転写ロール７２の接触圧が微調整されるようになっている。具体的には、図５に示される二重突起マーク１００Ｃを基準として、一重突起マーク１００Ｄ側へ回転するに従って転写ベルト３２に対する二次転写ロール７２の接触圧が弱められ、切欠マーク１００Ｅ側に回転するに従って転写ベルト３２に対する二次転写ロール７２の接触圧が強められるように構成されている。
【００４３】
また、図５、図６に示されるように、調整カム１００は、ユーザーが手動で回転操作可能になっている。詳細に説明すると、調整カム１００の軸方向に隣接した（カラー部材９６との間となる）部位には、調整カム１００よりも小径とされた環状係合部１０２が同軸的かつ一体的に形成されており、その環状係合部１０２の周面が非カム面１０２Ａとされている。
【００４４】
そして、その非カム面１０２Ａには、調整カム１００の径方向内側へ凹む複数の凹部１０２Ｂが周方向に等間隔に（各マーク１００Ｂに対応して）形成されており、環状係合部１０２は、所謂歯車状に形成されている。一方、図３〜図６に示されるように、揺動板８０には、凹部１０２Ｂを構成する開口両縁部１０２Ｃに予め決められた圧力で当たって（接触して）調整カム１００の回転をロックする接触部材の一例としてのロック部材１０８を備えたストッパー機構１０４が設けられている。
【００４５】
ストッパー機構１０４は、揺動板８０に固定されたホルダー１０６と、ホルダー１０６内に環状係合部１０２の非カム面１０２Ａに対して進退する方向に移動自在に収容されたロック部材１０８と、ホルダー１０６内に収容されたロック部材１０８を環状係合部１０２の非カム面１０２Ａに形成された凹部１０２Ｂの凹み方向（径方向内側）に向かって付勢する圧縮コイルバネ１１０と、を含んで構成されている。
【００４６】
ロック部材１０８は、圧縮コイルバネ１１０の付勢力により、その先端部である凸部１０８Ａが環状係合部１０２の１つの凹部１０２Ｂの開口両縁部１０２Ｃに当たって係合するようになっており、その状態で調整カム１００の回転をロックするように構成されている。したがって、ロック部材１０８の少なくとも凸部１０８Ａの先端面（開口両縁部１０２Ｃとの接触部分）は、凹部１０２Ｂの開口寸法よりも大きい長さを有しており、本実施形態では、凸曲面（円弧面）１０８Ｂとされている。
【００４７】
そして、ユーザーが調整カム１００を手動で回転させたときには、ロック部材１０８の凸部１０８Ａ（凸曲面１０８Ｂ）が非カム面１０２Ａに押されることにより、そのロック部材１０８が圧縮コイルバネ１１０の付勢力に抗して退避（移動）し、次の凹部１０２Ｂの開口両縁部１０２Ｃと対向する位置まで回転したときには、再び圧縮コイルバネ１１０の付勢力によって、その凸部１０８Ａ（凸曲面１０８Ｂ）が凹部１０２Ｂの開口両縁部１０２Ｃに当たって係合し、調整カム１００の回転をロックするようになっている。
【００４８】
なお、調整カム１００は、ストッパー機構１０４（ロック部材１０８）によって回転がロックされているだけであるが、画像形成時において、不用意に回転することはなく、転写ベルト３２に対する二次転写ロール７２の接触圧は、所望とする設定状態に保持されるようになっている。
【００４９】
以上のような構成とされた二次転写装置７０において、次にその作用について説明する。
【００５０】
上記したように、転写ベルト３２の表面に一次転写されたトナー像は、二次転写ロール７２によって記録用紙Ｐの表面に転写されるが、通常の記録用紙Ｐ（普通紙）の場合、二次転写ロール７２は、基準マーク９６Ａに二重突起マーク１００Ｃが位置する通常の接触圧に設定されて、バックアップロール４０に支持された転写ベルト３２を押圧する。
【００５１】
ここで、二次転写ロール７２とバックアップロール４０との軸間距離に応じて発生する接触圧が、記録用紙Ｐの厚さに応じた適切な度合いである場合には、記録用紙Ｐは、正常に搬送され、かつ記録用紙Ｐに画像欠陥（筋や濃度むらなど）が生じ難い。
【００５２】
ところが、通常の記録用紙Ｐに比べて厚さの厚い記録用紙Ｐ（厚紙）を用いると、転写ベルト３２に速度変動が生じて画像欠陥が生じる場合がある。また、通常の記録用紙Ｐよりも薄い記録用紙Ｐを用いると、転写不良による画像欠陥が生じたり、静電誘引力によって記録用紙Ｐが転写ベルト３２に付着したまま搬送されてしまうジャムが発生したりする。
【００５３】
このように、転写ベルト３２に対する二次転写ロール７２の接触圧が記録用紙Ｐの厚さに適合していない場合には、適切な搬送や画像転写が行われないことが起こり得る。また、記録用紙Ｐの厚さの他に、記録用紙Ｐの表面の平滑度も変動要素であり、表面に凹凸があるエンボス紙や表面が平滑なコート紙などの記録用紙Ｐを用いると、搬送や画像転写に欠陥が生じる場合がある。
【００５４】
そこで、本実施形態に係る二次転写装置７０では、記録用紙Ｐの種類に応じて、バックアップロール４０に支持されている転写ベルト３２を二次転写ロール７２の周面が押圧している状態で、その転写ベルト３２に対する二次転写ロール７２の接触圧（二次転写ロール７２とバックアップロール４０との軸間距離）を微調整することが、ユーザー側で対応可能になっている。
【００５５】
詳細に説明すると、圧縮コイルバネ１１０の付勢力によって、ロック部材１０８の凸部１０８Ａ（凸曲面１０８Ｂ）が、環状係合部１０２の非カム面１０２Ａに形成された複数の凹部１０２Ｂのうちの１つの凹部１０２Ｂの開口両縁部１０２Ｃに当たって係合することにより、調整カム１００の回転がロックされている（この状態で基準マーク９６Ａに各マーク１００Ｂのうちの１つが位置している）。
【００５６】
したがって、ユーザーが手指等によって各調整カム１００を回転させることにより、上記のように、凹部１０２Ｂに対するロック部材１０８の凸部１０８Ａによるロックが解除され、次の凹部１０２Ｂの開口両縁部１０２Ｃに当たって係合することにより、再びその回転がロックされる（この状態で基準マーク９６Ａに各マーク１００Ｂのうちの別の１つが位置する）。
【００５７】
このように、調整カム１００は、凹部１０２Ｂの開口両縁部１０２Ｃに圧縮コイルバネ１１０の付勢力によって当たる（係合する）ロック部材１０８の凸部１０８Ａによって、その回転がロックされているだけなので、例えばロック部材１０８を退避させ、その後、調整カム１００を回転させて、ロック部材１０８の退避を解除する構成に比べて、ユーザーが容易に回転させられる。
【００５８】
よって、転写ベルト３２に対する二次転写ロール７２の接触圧が、記録用紙Ｐの種類に応じて適切に得られる。具体的には、基準マーク９６Ａに二重突起マーク１００Ｃが位置している調整カム１００を一重突起マーク１００Ｄ側へ回転させると、二次転写ロール７２の軸７２Ａがバックアップロール４０から離れる方向に僅かに移動し、二次転写ロール７２とバックアップロール４０との軸間距離が長くなる。
【００５９】
これにより、転写ベルト３２に対する二次転写ロール７２の接触圧が通常の接触圧よりも弱くなり、記録用紙Ｐが通常よりも厚い場合に対応可能になる。なお、二次転写ロール７２がバックアップロール４０から離れる方向への移動は、揺動板８０が引張コイルバネ９０に抗して矢印Ｃ方向に回転することにより許容される。
【００６０】
また、基準マーク９６Ａに二重突起マーク１００Ｃが位置している調整カム１００を切欠マーク１００Ｅ側へ回転させると、引張コイルバネ９０の付勢力によって二次転写ロール７２がバックアップロール４０に近づく方向に僅かに移動し、二次転写ロール７２とバックアップロール４０との軸間距離が短くなる。これにより、転写ベルト３２に対する二次転写ロール７２の接触圧が通常の接触圧よりも強くなり、記録用紙Ｐが通常よりも薄い場合や表面に凹凸があるエンボス紙などの場合に対応可能になる。
【００６１】
したがって、記録用紙Ｐの種類によらず、画像欠陥やジャムなどの発生が抑制又は防止される。なお、ロック部材１０８の凸部１０８Ａが凸曲面１０８Ｂとされていると、凸部１０８Ａが、凸曲面１０８Ｂとされていない構成に比べて、調整カム１００の手動での回転時に、ロック部材１０８の凸部１０８Ａが、凹部１０２Ｂの開口両縁部１０２Ｃに接触することによる回転抵抗が軽減される。
【００６２】
また、記録用紙Ｐの厚さや表面の平滑度など、記録用紙Ｐの種類に応じた適切な軸間距離を予め把握し、それに応じて調整カム１００の回転角度（各凹部１０２Ｂに対するロック位置）と各マーク１００Ｂの形成位置とを対応させれば、各マーク１００Ｂを基準マーク９６Ａに合わせることにより、転写ベルト３２に対する二次転写ロール７２の接触圧が、記録用紙Ｐの種類に応じて適切なものに簡単に設定される。
【００６３】
また、各調整カム１００は、それぞれ独立して回転させられるので、二次転写ロール７２とバックアップロール４０との軸間距離が全長に亘って均一となるアライメント調整が行える。アライメントを調整して軸間距離が全長に亘って一定になるようにすると、軸方向における接触圧の偏りが抑えられるため、記録用紙Ｐが斜めに搬送されてしまうスキューの発生が抑制又は防止される。
【００６４】
また、二次転写ロール７２側に設けた調整カム１００とバックアップロール４０側に設けたカム受部材とで、転写ベルト３２に対する二次転写ロール７２の接触圧が調整され、かつ、その調整カム１００は、ユーザーが手動で回転操作可能に構成されている。したがって、この二次転写装置７０は、調整カム１００がモーター等の駆動源によって回転される構成に比べて、部品点数が少なく、簡素で安価に製造されるとともに、省スペース化が図れる。
【００６５】
更に、二次転写ロール７２の軸７２Ａに調整カム１００が装着され、バックアップロール４０の軸にカム受部材が装着されているため、調整カム１００の回転操作が二次転写ロール７２の移動に直接的に伝達される。よって、調整カム１００の回転操作が二次転写ロール７２の移動に直接的に伝達されない構成に比べて、転写ベルト３２に対する二次転写ロール７２の接触圧の微調整が高精度に行える。
【００６６】
以上、本実施形態に係る転写装置（二次転写装置７０）について、図面を基に説明したが、本実施形態に係る転写装置（二次転写装置７０）は、図示のものに限定されるものではなく、本発明の要旨を逸脱しない範囲内において、適宜設計変更可能なものである。例えば、転写ベルト３２を有さずに、感光体ドラム２０から直接トナー像が転写される場合も同様である。この場合、感光体ドラム２０が像保持体の一例となる。
【００６７】
また、ロック部材１０８の凸部１０８Ａの先端面の形状は、凸曲面１０８Ｂに限定されるものではなく、例えば頂角が鈍角の二等辺三角形状とされていてもよい。また、環状係合部１０２に形成される凹部１０２Ｂの形状も、図示の形状に限定されるものではなく、例えば凸部１０８Ａの先端面の形状（凸曲面１０８Ｂ）と合致する形状に形成されていてもよい。
【００６８】
また、図２〜図４では、ロック部材１０８の中途部にロック部材１０８の延在方向と直交する方向（前方向）に突出する突出部１０８Ｃが形成されているが、図５、図６に示されるように、ロック部材１０８の中途部には、突出部１０８Ｃが形成されていなくてもよい。
【符号の説明】
【００６９】
１０  画像形成装置
３２  転写ベルト（像保持体の一例）
４０  バックアップロール
７０  二次転写装置（転写装置の一例）
７２  二次転写ロール（転写ロールの一例）
７２Ａ  軸部
９８  ボールベアリング（軸受部材の一例）
１００  調整カム（カム部材の一例）
１００Ａ  カム面
１０２Ａ  非カム面
１０２Ｂ  凹部
１０２Ｃ  開口両縁部
１０８  ロック部材（接触部材）
１０８Ａ  凸部
１０８Ｂ  凸曲面
【図１】
2017044812.tif 000003
【図４】
2017044812.tif 000004
【図５】
2017044812.tif 000005
【図６】
2017044812.tif 000006
【図２】
2017044812.tif 000007
【図３】
2017044812.tif 000008